(57)【要約】      （修正有）【課題】一回のゲームで複数の遊戯用カードを効率良く使え、ゲームがスムーズに行なえるようにした遊戯用カードケースを提供する。【解決手段】選択前の複数枚の遊戯用カードＫを収納、保管するカードケース本体Ａを設け、このカードケース本体Ａの端部に折り畳み自在に前記カードケース本体Ａから選択されて引き抜かれたカードをストックするセレクトカードスタンドＢを連設して成る。【選択図】図３
0003113966.tif 000002
【実用新案登録請求の範囲】
【請求項１】
選択前の複数枚の遊戯用カードを収納、保管するカードケース本体を設け、このカードケース本体の端部に折り畳み自在に前記カードケース本体から選択されて引き抜かれたカードをストックするセレクトカードスタンドを連設して成ることを特徴とする遊戯用カードケース。
【考案の詳細な説明】
【技術分野】
【０００１】
本考案は、カード遊び（ゲーム）に際して複数枚の遊戯用カードを収納、保管する遊戯用カードケースに関する。
【背景技術】
【０００２】
最近、遊戯用カードを使った新規な遊び（ゲーム）として次のようなカード遊びが流行している。例えば、硬貨（１００円）をカード販売機に入れて遊戯用カードを買う。遊戯用カードには例えば７６種類あり、集めた多数の遊戯用カードの中から所望のカードを選択して順次スキャン（バーコードを機械に読み込ませる）して着せ替えをし、オシャレをしてライバルキャラと一緒にダンスをして、どちらが目立つかを競争するゲームである。
【特許文献１】特になし
【考案の開示】
【考案が解決しようとする課題】
【０００３】
ところで、このゲーム中、片手に多数の遊戯用カードが入れられたカードケースを持ち、反対の手でカードケースの中から選んだ遊戯用カードを持ってスキャン等を行なうが、次々に違う遊戯用カードを選択して、スキャン等を行なう時には、その都度前の遊戯用カードをカードケースの中に戻さなければならない。
【０００４】
つまり、従来のカードケースでは、違う遊戯用カードを使いたい時に、手に持っている遊戯用カードを一度カードケースに戻し選び直したりしなければならないため、効率が悪く、ゲームのスムーズな進行の妨げの要因となっている。
【０００５】
本考案は、前記した従来の技術が有するこのような問題点を解消するもので、一回のゲームで複数の遊戯用カードを効率良く使え、ゲームがスムーズに行なえるようにした遊戯用カードケースを提供することを目的とする。
【課題を解決するための手段】
【０００６】
前記目的を達成するために、本考案に係る遊戯用カードケースは、選択前の複数枚の遊戯用カードを収納、保管するカードケース本体を設け、このカードケース本体の端部に折り畳み自在に前記カードケース本体から選択されて引き抜かれたカードをストックするセレクトカードスタンドを連設して成ることを特徴とする。
【考案の効果】
【０００７】
本考案は、以上のとおり構成されるので、多数の遊戯用カードを収納、保管させたカードケース本体から順次引き出して遊戯を終えた当該遊戯用カードを、当該カードケース本体に折り畳み自在に連結されたセレクトカードスタンドへストックさせておくことができるものである。
【０００８】
したがって、遊戯（ゲーム）中、遊戯用カードの分別が可能であり、混同するおそれがないから、ゲームの効率がきわめて向上するものである。
【考案を実施するための最良の形態】
【０００９】
以下、本考案を実施するための最良の形態について図面を参照して詳細に説明すると、図面に示される符号Ａは、選択前の複数枚の遊戯用カードＫを収納、保管するカードケース本体、符号Ｂは、カードケース本体Ａから選択されて引き抜かれた遊戯用カードＫをストックするセレクトカードスタンドである。
【００１０】
前記カードケース本体Ａは、次のように構成される。
縦長矩形の板状ベース体１を、中央の狭幅の背板部２と、その上下両端に折込み線５を介して内側へ折り込み自在に連設された同形、同大の表板部３および裏板部４にて形成する。
【００１１】
中央の狭幅の背板部２の内側には、多数枚のカード収納ケース７が綴じられたバインダー５が取り付けられ、一端には板状ベース体１の外方に延長するようにして吊持片６が突設されている。吊持片６には孔６ａが穿設されており、この孔６ａに吊り紐等を通すことによって遊戯用カードケース全体を遊戯（ゲーム）中首に掛けることができるようになっている。
【００１２】
バインダー５に綴じられたカード収納ケース７は、前記板状ベース体１の表板部３や裏板部４と比べてやや小さな一枚のベースシート８と、このベースシート８の横方向に並設された３枚の透明材から成る表シート９によって形成され、表シート９の上下両端および左端をベースシート８に封止して右端側のみ開口する３個の透明袋部１０を備えている。
【００１３】
それぞれの透明袋部１０は横方向（図中右側方向）から遊戯用カードＫが収納、保管されるように略同形、同大に形成され、表シート９の開口端中央に遊戯用カードＫの取出用の切欠き９ａが凹設されている。なお、透明袋部１０の数やその開口方向が図示した実施形態に限定されるものでないことは勿論である。
【００１４】
前記セレクトカードスタンドＢは、次のように構成される。
カードケース本体Ａの横幅と同幅で、かつ縦短矩形の板状ベース体１１と、この板状ベース体１１の内側横方向に並設された３枚２段の透明材から成る表シート１２によって形成され、表シート１２の左右両端および下端を板状ベース体１１に封止して上端側のみ開口する３個２段の透明袋部１３を備えている。
【００１５】
それぞれの透明袋部１３は上方から遊戯用カードＫの下方が収納、保管されるより、横幅が遊戯用カードＫのそれと略同幅に形成され、遊戯用カードＫの取り出しを容易にするため、縦幅が保管された遊戯用カードＫの上部が袋部１３の上方に突出するよう遊戯用カードＫのそれより相当に短幅に形成されている。なお、このセレクトカードスタンドＢの透明袋部１３も前記同様、数や段数が図示した実施形態に限定されるものでないことは勿論である。
【００１６】
而して、前記カードケース本体Ａと前記セレクトカードスタンドＢとは連結部材１４によって折り畳み自在に連結されている。
【００１７】
この連結部材１４は図示例では蝶番１４ａにて形成されているが、他の同機能部材と代替できるものであることは勿論である。ワンタッチで切り離し自在の連結部材１４を用いることもできる。なお、図３に示すように、折り畳んだカードケース本体Ａに対してその斜め後方に立てられるように機能できる連結部材１４であることが望ましい。
【００１８】
次に、以上のように構成された最良の形態についての使用、動作の一例について説明すると、先ず、カード販売機で購入した複数枚の遊戯用カードＫを、カードケース本体Ａのカード収納ケース７における各透明袋部１０へ側方（図中右方向）から差し込んで収納、保管しておく。
【００１９】
次いで、各透明袋部１０から所望の遊戯用カードＫを選択して一枚一枚引き抜き順次スキャンをし、オシャレをしてライバルキャラと一緒にダンスをして、どちらが目立つかを競争する。なお、この遊戯用カードＫを使う遊戯（ゲーム）がこのような内容のものに限定されるわけではない。
【００２０】
そして、このようにしてスキャンを終えた遊戯用カードＫをセレクトカードスタンドＢの複数の透明袋部１３へ上方より差し込んで順次ストックさせておく。
【００２１】
この遊戯（ゲーム）は、カードケース本体Ａの一端に突設された吊持片６の孔６ａへ通した掛け紐（不図示）を首に掛けることによって遊戯用カード全体を首から吊持して行なうことができる。また、図３に示すように、多数枚の遊戯用カードＫをストックしたセレクトカードスタンドＢを斜め後方に立てかけた状態で定置しておくことができる。これによって遊戯中、選択、使用された遊戯用カードＫが分別され、その内容を確認することが容易となる。
【図面の簡単な説明】
【００２２】
【図１】本考案に係る遊戯用カードケースを示す正面図である。
【図２】同上の側面図である。
【図３】同上の使用状態を示す斜視図である。
【符号の説明】
【００２３】
Ａ    カードケース本体
Ｂ    セレクトカードスタンド
Ｋ    遊戯用カード
１４  連結部材
【図１】
0003113966.tif 000003
【図２】
0003113966.tif 000004
【図３】
0003113966.tif 000005